(57)【要約】【課題】印刷する番号を多色で表現することにより、印刷物に対して、高度な偽造防止効果を与えることができる番号印刷機のインキ装置を提供する。【解決手段】番号胴４０の外周部に設けられ、搬送されるシートＳに番号を印刷する番号器４６ａ，４６ｂと、インキＩａ，Ｉｂをインキつぼ１１内においてその色ごとに仕切って溜める仕切り部材１１ｃと、インキつぼ１１内に仕切って溜められたインキＩａ，Ｉｂをローラ軸方向に並ばせて引き出すインキつぼローラ１２と、インキつぼローラから供給されたインキＩａ，Ｉｂがそれぞれ転写される選択ローラ２１，３１と、選択ローラ２１，３１から供給されたインキＩａ，Ｉｂがそれぞれ転写される振りローラ２２，３４と、振りローラ２２，３４から供給されたインキＩａ，Ｉｂが転写される凸部２３ａ，２３ｂ，３５ａ，３５ｂが番号器４６ａ，４６ｂと対接するように回転する着けローラ２３，３５とを備える。【選択図】図１
2015054476.tif 000002
【特許請求の範囲】
【請求項１】
搬送されるシートに番号を印刷する番号胴に対して、インキつぼ内に溜められたインキを供給する番号印刷機のインキ装置において、
前記番号胴の外周部に設けられ、搬送されるシートに番号を印刷する番号器と、
複数色のインキを、前記インキつぼ内において、その色ごとに仕切って溜める仕切り部材と、
前記インキつぼ内に仕切って溜められた複数色のインキを、軸方向に並ばせて引き出すインキつぼローラと、
前記インキつぼローラから供給された複数色のインキのうち、少なくとも１色のインキが選択的に転写される複数の選択ローラと、
前記各選択ローラに対応して設けられると共に、軸方向に移動可能に支持され、前記各選択ローラから供給されたインキが転写される複数の振りローラと、
前記各振りローラに対応して設けられると共に、前記各振りローラから供給されたインキが転写される凸部を外周面に有し、当該凸部が前記番号器と対接するように回転する複数の着けローラとを備える
ことを特徴とする番号印刷機のインキ装置。
【請求項２】
請求項１に記載の番号印刷機のインキ装置において、
前記選択ローラの外周面に、前記インキつぼローラから供給されたインキが転写される環状凸部を、その周方向全域に亘って凸状に形成し、
前記環状凸部は、前記選択ローラの軸方向において、１つ以上並んで配置される
ことを特徴とする番号印刷機のインキ装置。
【請求項３】
請求項１または２に記載の番号印刷機のインキ装置において、
前記番号胴の円周長は、前記着けローラの円周長の整数倍であって、
前記複数の着けローラと前記番号胴とは、同期回転する
ことを特徴とする番号印刷機のインキ装置。
【発明の詳細な説明】
【技術分野】
【０００１】
本発明は、番号胴に設けられた番号器に、複数色のインキを供給するようにした番号印刷機のインキ装置に関する。
【背景技術】
【０００２】
一般に、有価証券や紙幣等に一連の番号を印刷する番号印刷は、オフセット印刷や凹版印刷等の印刷が予め施された印刷物に対して加印する形で、行われている。また、そのような番号印刷を可能とする番号印刷機の番号胴には、所定桁数の印字を有する番号器が設けられており、この番号器には、インキつぼ内に蓄えられたインキが、多数のローラ群を介して供給されるようになっている。
【０００３】
そして、上述したような、番号胴の番号器にインキを供給可能とする番号印刷機のインキ装置については、例えば、特許文献１に開示されている。
【先行技術文献】
【特許文献】
【０００４】
【特許文献１】特公平３−４９７５３号公報
【発明の概要】
【発明が解決しようとする課題】
【０００５】
しかしながら、上記従来のインキ装置においては、インキ供給経路が１経路となっているため、印刷される番号が、１色のみで表現されることになる。上述したように、特に、印刷物が有価証券や紙幣等となる場合には、その印刷物に対する偽造防止策を数多く施す必要があり、印刷物の番号を多色で表現することにより、より高い偽造防止効果を得ることができると考えられる。
【０００６】
従って、本発明は上記課題を解決するものであって、印刷する番号を多色で表現することにより、印刷物に対して、高度な偽造防止効果を与えることができる番号印刷機のインキ装置を提供することを目的とする。
【課題を解決するための手段】
【０００７】
上記課題を解決する第１の発明に係る番号印刷機のインキ装置は、
搬送されるシートに番号を印刷する番号胴に対して、インキつぼ内に溜められたインキを供給する番号印刷機のインキ装置において、
前記番号胴の外周部に設けられ、搬送されるシートに番号を印刷する番号器と、
複数色のインキを、前記インキつぼ内において、その色ごとに仕切って溜める仕切り部材と、
前記インキつぼ内に仕切って溜められた複数色のインキを、軸方向に並ばせて引き出すインキつぼローラと、
前記インキつぼローラから供給された複数色のインキのうち、少なくとも１色のインキが選択的に転写される複数の選択ローラと、
前記各選択ローラに対応して設けられると共に、軸方向に移動可能に支持され、前記各選択ローラから供給されたインキが転写される複数の振りローラと、
前記各振りローラに対応して設けられると共に、前記各振りローラから供給されたインキが転写される凸部を外周面に有し、当該凸部が前記番号器と対接するように回転する複数の着けローラとを備える
ことを特徴とする。
【０００８】
上記課題を解決する第２の発明に係る番号印刷機のインキ装置は、
前記選択ローラの外周面に、前記インキつぼローラから供給されたインキが転写される環状凸部を、その周方向全域に亘って凸状に形成し、
前記環状凸部は、前記選択ローラの軸方向において、１つ以上並んで配置される
ことを特徴とする。
【０００９】
上記課題を解決する第３の発明に係る番号印刷機のインキ装置は、
前記番号胴の円周長は、前記着けローラの円周長の整数倍であって、
前記複数の着けローラと前記番号胴とは、同期回転する
ことを特徴とする。
【発明の効果】
【００１０】
従って、本発明に係る番号印刷機のインキ装置によれば、番号を、複数の色によって色分けして、シートに印刷することができる。これにより、印刷する番号を多色で表現することができるので、印刷物に対して、高度な偽造防止効果を与えることができる。
【図面の簡単な説明】
【００１１】
【図１】本発明の一実施例に係る番号印刷機のインキ装置の側面図である。
【図２】インキつぼの平面図である。
【図３】着ローラと番号胴との位置関係を示した図である。
【図４】（ａ）〜（ｅ）は一方のインキの供給状態を順に示した図である。
【図５】（ａ）〜（ｅ）は他方のインキの供給状態を順に示した図である。
【図６】番号印刷されたシートを示した図である。
【図７】数字と文字とを組み合わせた番号を印刷するときの色分けの一例である。
【図８】数字と記号とを組み合わせた番号を印刷するときの色分けの一例である。
【発明を実施するための形態】
【００１２】
以下、本発明に係る番号印刷機のインキ装置について、図面を用いて詳細に説明する。
【実施例】
【００１３】
図１に示すように、番号印刷機には、インキ装置１が設けられている。ここで、番号印刷機は、搬送したシートＳに対して、一連の番号を印刷するものとなっている。そして、図６に示すように、例えば、その番号印刷機によって番号印刷されたシートＳには、縦番号Ｓａ及び横番号Ｓｂが印刷されるようになっている。
【００１４】
縦番号Ｓａは、シート幅方向一端側（シート幅方向左側）において、シート縦方向に一列に並んだ複数桁の番号であり、横番号Ｓｂは、シート幅方向他端側（シート幅方向右側）において、シート幅方向に一列に並んだ複数桁の番号となっている。なお、本実施形態では、縦番号Ｓａ及び横番号Ｓｂを、８桁の番号として説明する。
【００１５】
このとき、縦番号Ｓａ及び横番号Ｓｂは、それぞれ複数色のインキＩａ，Ｉｂを用いて表現されている。具体的には、縦番号Ｓａ及び横番号Ｓｂの上４桁は、１色目（一方の色）のインキＩａのみを用いて印刷されており、縦番号Ｓａ及び横番号Ｓｂの下４桁は、２色目（他方の色）のインキＩｂのみを用いて印刷されている。
【００１６】
そこで、インキ装置１は、それぞれ複数色のインキＩａ，Ｉｂを供給することが可能となっており、搬送されるシートＳの下方に設けられている。
【００１７】
次に、インキ装置１の構成について、図面を用いて詳細に説明する。
【００１８】
先ず始めに、上記番号印刷機は、シートＳをその縦方向に搬送するものであるため、シート縦方向は、シート搬送方向と一致しており、シート幅方向は、シート搬送方向と直交する方向と一致している。更に、後述するインキ装置１においては、そのインキ装置１を構成する各ローラの軸方向が、シート幅方向と一致しており、その各ローラの周方向が、シート縦方向と対応している。
【００１９】
図１及び図２に示すように、インキ装置１の下部には、インキつぼ１１が設けられており、このインキつぼ１１には、インキつぼローラ１２が回転可能に対接している。インキつぼ１１は、底板１１ａと、左右一対の側板１１ｂと、複数の仕切り部材１１ｃとを有している。
【００２０】
底板１１ａは、インキつぼローラ１２に向かうに従って下方に傾斜している。また、側板１１ｂは、底板１１ａの左右両側部にそれぞれ固定されている。そして、仕切り部材１１ｃは、左右一対の側板１１ｂ間に配置されており、底板１１ａの幅方向（インキつぼローラ１２の軸方向）に移動可能に支持されている。
【００２１】
つまり、底板１１ａ、側板１１ｂ、仕切り部材１１ｃ、及び、インキつぼローラ１２の外周面によって囲まれた空間内には、それぞれ異なる色のインキＩａ，Ｉｂが貯溜可能となっており、このうち、仕切り部材１１ｃは、搬送されるシートＳにおける縦番号Ｓａ及び横番号ｓｂのシート幅方向位置に応じて、インキつぼローラ１２の軸方向に位置調整されている。例えば、図２に示すように、インキＩａ，Ｉｂは、隣接した仕切り部材１１ｃ間に溜められている。
【００２２】
また、図１に示すように、インキつぼローラ１２の正面には、呼出しローラ１３及び練りローラ１４が回転可能に支持されている。このうち、呼出しローラ１３は、インキつぼローラ１２と練りローラ１４との間において揺動可能に支持されることにより、それらインキつぼローラ１２及び練りローラ１４に対して、交互に対接可能となっている。
【００２３】
更に、練りローラ１４における呼出しローラ１３との対接位置よりも回転方向下流側（インキ供給方向下流側）には、駆動ローラ１５が回転可能に対接している。続いて、駆動ローラ１５における練りローラ１４との対接位置よりも回転方向下流側には、練りローラ１６が回転可能に対接している。そして、練りローラ１６における駆動ローラ１５との対接位置よりも回転方向下流側には、駆動ローラ１７が回転可能に対接している。
【００２４】
また更に、駆動ローラ１７における練りローラ１６との対接位置よりも回転方向下流側には、選択ローラ３１が回転可能に対接しており、駆動ローラ１７における選択ローラ３１との対接位置よりも回転方向下流側には、選択ローラ２１が回転可能に対接している。
【００２５】
なお、選択ローラ２１，３１は、駆動ローラ１７から供給されたインキＩａ，Ｉｂが、それぞれ個別に転写される練りローラとなっている。詳細は後述するが、駆動ローラ１７に供給されたインキＩａ，Ｉｂのうち、少なくとも、１色のインキＩａは、駆動ローラ１７から選択ローラ２１に選択的に転写されるようになっている。一方、駆動ローラ１７に供給されたインキＩａ，Ｉｂのうち、少なくとも、１色のインキＩｂは、駆動ローラ１７から選択ローラ３１に選択的に転写されるようになっている。
【００２６】
選択ローラ２１における駆動ローラ１７との対接位置よりも回転方向下流側には、振りローラ２２が回転可能に対接している。続いて、振りローラ２２における選択ローラ２１との対接位置よりも回転方向下流側には、着けローラ２３が回転可能に対接している。そして、着けローラ２３における振りローラ２２との対接位置よりも回転方向下流側には、番号印刷機の番号胴４０が回転可能に対接している。
【００２７】
ここで、選択ローラ２１の外周面には、複数の環状凸部２１ａが、その周方向全域に亘って凸状に形成されている。これにより、選択ローラ２１においては、環状凸部２１ａの外周面（頂面）のみに、インキＩａが転写されることになる。
【００２８】
即ち、各環状凸部２１ａの選択ローラ軸方向位置は、選択ローラ軸方向に並んで供給されるインキＩａ，Ｉｂのうち、選択したインキＩａに対応した位置となると共に、シートＳにおける縦番号Ｓａのシート幅方向位置、及び、シートＳにおける横番号Ｓｂの上４桁部分のシート幅方向位置に、それぞれ対応している。
【００２９】
また、振りローラ２２は、その軸方向に移動可能に支持されることにより、所定の振り幅を有している。更に、着けローラ２３の外周面には、複数の凸部２３ａ，２３ｂが、その周方向に沿って、凸状に形成されている。これにより、着けローラ２３においては、凸部２３ａ，２３ｂの外周面（頂面）のみに、インキＩａが転写されることになる。
【００３０】
即ち、凸部２３ａの着けローラ軸方向位置は、シートＳにおける縦番号Ｓａのシート幅方向位置に対応しており、凸部２３ａの着けローラ周方向位置は、シートＳにおける縦番号Ｓａの上４桁部分のシート縦方向位置に対応している。一方、凸部２３ｂの着けローラ軸方向位置は、シートＳにおける横番号Ｓｂの上４桁部分のシート幅方向位置に対応しており、凸部２３ｂの着けローラ周方向位置は、シートＳにおける横番号Ｓｂのシート縦方向位置に対応している。
【００３１】
一方、選択ローラ３１における駆動ローラ１７との対接位置よりも回転方向下流側には、練りローラ３２が回転可能に対接しており、この練りローラ３２における選択ローラ３１との対接位置よりも回転方向下流側には、練りローラ３３が回転可能に対接している。続いて、練りローラ３３における練りローラ３２との対接位置よりも回転方向下流側には、振りローラ３４が回転可能に対接しており、この振りローラ３４における練りローラ３３との対接位置よりも回転方向下流側には、着けローラ３５が回転可能に対接している。そして、着けローラ３５における振りローラ３４との対接位置よりも回転方向下流側には、番号胴４０が回転可能に対接している。
【００３２】
なお、番号胴４０における着けローラ３５との対接位置よりも回転方向下流側には、番号印刷機の圧胴（図示省略）が回転可能に対向しており、その圧胴は、シートＳを保持して搬送するものとなっている。
【００３３】
ここで、選択ローラ３１の外周面には、複数の環状凸部３１ａが、その周方向全域に亘って凸状に形成されている。これにより、選択ローラ３１においては、環状凸部３１ａの外周面（頂面）のみに、インキＩｂが転写されることになる。
【００３４】
即ち、各環状凸部３１ａの選択ローラ軸方向位置は、選択ローラ軸方向に並んで供給されるインキＩａ，Ｉｂのうち、選択したインキＩｂに対応した位置となると共に、シートＳにおける縦番号Ｓａのシート幅方向位置、及び、シートＳにおける横番号Ｓｂの下４桁部分のシート幅方向位置に、それぞれ対応している。
【００３５】
また、振りローラ３４は、その軸方向に移動可能に支持されることにより、所定の振り幅を有している。更に、着けローラ３５の外周面には、複数の凸部３５ａ，３５ｂが、その周方向に沿って、凸状に形成されている。これにより、着けローラ３５においては、凸部３５ａ，３５ｂの外周面のみに、インキＩｂが転写されることになる。
【００３６】
即ち、凸部３５ａの着けローラ軸方向位置は、シートＳにおける縦番号Ｓａのシート幅方向位置に対応しており、凸部３５ａの着けローラ周方向位置は、シートＳにおける縦番号Ｓａの下４桁部分のシート縦方向位置に対応している。一方、凸部３５ｂの着けローラ軸方向位置は、シートＳにおける横番号Ｓｂの下４桁部分のシート幅方向位置に対応しており、凸部３５ｂの着けローラ周方向位置は、シートＳにおける横番号Ｓｂのシート縦方向位置に対応している。
【００３７】
次いで、図３に示すように、番号胴４０は、その中心部に番号胴軸４１を有しており、この番号胴軸４１の左右両端部は、番号印刷機における左右一対のフレーム９１ａ，９１ｂに、軸受９２ａ，９２ｂを介して、回転可能に支持されている。更に、番号胴軸４１には、駆動ギヤ４２が、そのフレーム９１ｂの外側において嵌合されており、連結ギヤ４３が、そのフレーム９１ｂの内側において嵌合されている。
【００３８】
駆動ギヤ４２は、番号印刷機全体を駆動する本機駆動用モータ（図示省略）の駆動力が伝達されるものである。一方、連結ギヤ４３は、着けローラ２３，３５の回転軸と同軸上に配置される連結ギヤ２３ｃ，３５ｃと噛み合っている。これにより、番号印刷機を駆動させると、番号胴４０と着けローラ２３，３５とは、同期回転することになる。なお、番号胴４０の円周長は、着けローラ２３，３５の円周長の整数倍となっている。
【００３９】
また、番号胴軸４１には、左右一対の支持円板４４ａ，４４ｂと、リング部材４５ａ，４５ｂとが、着けローラ２３，３５と対向するように嵌合されている。そして、リング部材４５ａ，４５ｂは、番号胴軸方向に位置調整可能となっており、支持円板４４ａ，４４ｂは、そのリング部材４５ａ，４５ｂの左右両側にそれぞれ設けられ、その外周面が、番号胴４０と前記圧胴との間の隙間（軸間距離）を調整するための基準位置となっている。
【００４０】
更に、リング部材４５ａ，４５ｂの外周部には、その円周方向において等間隔となるように、複数の番号器４６ａ，４６ｂが設けられている。番号器４６ａは、縦番号ＳａをシートＳに印字するものであって、その外周部には、１枚印刷するごとに１字ずつ送られ、更に、１０字送られるごとに桁送りされる、番号胴周方向に一列に並んだ８桁の数字が、凸版で彫刻されている。一方、番号器４６ｂは、横番号ＳｂをシートＳに印字するものであって、その外周部には、１枚印刷するごとに１字ずつ送られ、更に、１０字送られるごとに桁送りされる、番号胴軸方向に一列に並んだ８桁の数字が、凸版で彫刻されている。
【００４１】
即ち、リング部材４５ａの番号器４６ａは、番号胴軸方向（着けローラ軸方向、シート幅方向）において、着けローラ２３，３５の凸部２３ａ，３５ａ、及び、シートＳにおける縦番号Ｓａと、同じ位置に位置決めされている。
【００４２】
更に、凸部２３ａ，３５ａと番号器４６ａとは、着けローラ２３，３５と番号胴４０との同期回転によって、常に対接可能となっている。詳細に説明すると、凸部２３ａは、番号器４６ａにおける凸状彫刻数字の８桁のうち、その上４桁部分に対接して、インキＩａをその部分に転写させるものとなっている。一方、凸部３５ａは、番号器４６ａにおける凸状彫刻数字の８桁のうち、その下４桁部分に対接して、インキＩｂをその部分に転写させるものとなっている。
【００４３】
同様に、リング部材４５ｂの番号器４６ｂは、番号胴軸方向（着けローラ軸方向、シート幅方向）において、着けローラ２３，３５の凸部２３ｂ，３５ｂ、及び、シートＳにおける縦番号Ｓｂと、同じ位置に位置決めされている。
【００４４】
更に、凸部２３ｂ，３５ｂと番号器４６ｂとは、着けローラ２３，３５と番号胴４０との同期回転によって、常に対接可能となっている。詳細に説明すると、凸部２３ｂは、番号器４６ｂにおける凸状彫刻数字の８桁のうち、その上４桁部分に対接して、インキＩｂをその部分に転写させるものとなっている。一方、凸部３５ｂは、番号器４６ｂにおける凸状彫刻数字の８桁のうち、その下４桁部分に対接して、インキＩｂをその部分に転写させるものとなっている。
【００４５】
次に、インキ装置１のインキ供給動作について、図面を用いて詳細に説明する。
【００４６】
先ず、図２，図４（ａ），図５（ａ）に示すように、インキＩａ，Ｉｂは、インキつぼ１１内において、複数の仕切り部材１１ｃによって仕切られた空間内に貯溜されている。これにより、それら貯溜されたインキＩａ，Ｉｂは、インキつぼローラ１２が回転すると、当該インキつぼローラ１２の外周面に、インキつぼローラ軸方向に隣接して（並んで）転写される。
【００４７】
次いで、図１に示すように、インキつぼローラ１２に供給されたインキＩａ，Ｉｂは、呼出しローラ１３の揺動によって、練りローラ１４の外周面に転写された後、駆動ローラ１５及び練りローラ１６の外周面を介して、駆動ローラ１７の外周面に転写される。
【００４８】
ここで、図４（ｂ）に示すように、駆動ローラ１７に転写されたインキＩａ，Ｉｂのうち、インキＩａは、選択ローラ２１における環状凸部２１ａの外周面に転写される。
【００４９】
次いで、図４（ｃ）に示すように、選択ローラ２１の環状凸部２１ａに転写されたインキＩａは、振りローラ２２の外周面に転写される。このとき、振りローラ２２は、その振りローラ軸方向に所定の振り幅で揺動している。
【００５０】
このように、インキＩａが選択ローラ２１の環状凸部２１ａから振りローラ２２に転写されると、当該振りローラ２２の振り動作によって、その振りローラ２２の外周面における振りローラ軸方向インキ転写幅は、環状凸部２１ａの外周面における選択ローラ軸方向インキ転写幅よりも、拡大することになる。
【００５１】
そして、図４（ｄ）に示すように、振りローラ２２に転写されたインキＩａは、着けローラ２３における凸部２３ａ，２３ｂの外周面に転写される。
【００５２】
次いで、図３に示すように、着けローラ２３の凸部２３ａ，２３ｂに転写されたインキＩａは、番号胴４０の番号器４６ａ，４６ｂにそれぞれ転写される。詳細には、凸部２３ａに転写されたインキＩａは、番号器４６ａにおける凸状彫刻数字の上４桁部分に転写される。また、凸部２３ｂに転写されたインキＩａは、番号器４６ｂにおける凸状彫刻数字の上４桁部分に転写される。
【００５３】
そして、図４（ｅ）に示すように、番号器４６ａに転写されたインキＩａは、番号胴４０と圧胴との対向位置に搬送されたシートＳに転写されることにより、縦番号Ｓａの上４桁を印字する。また、番号器４６ｂに転写されたインキＩａは、番号胴４０と圧胴との対向位置に搬送されたシートＳに転写されることにより、横番号Ｓｂの上４桁を印字する。
【００５４】
一方、図５（ｂ）に示すように、駆動ローラ１７に転写されたインキＩａ，Ｉｂのうち、インキＩｂは、選択ローラ３１における環状凸部３１ａの外周面に転写される。
【００５５】
次いで、図５（ｃ）に示すように、選択ローラ３１の環状凸部３１ａに転写されたインキＩｂは、練りローラ３２，３３の外周面を介して、振りローラ３４の外周面に転写される。このとき、振りローラ３４は、その振りローラ軸方向に所定の振り幅で揺動している。
【００５６】
このように、インキＩｂが選択ローラ３１の環状凸部３１ａから振りローラ３４に転写されると、当該振りローラ３４の振り動作によって、その振りローラ３４の外周面における振りローラ軸方向インキ転写幅は、環状凸部３１ａの外周面における選択ローラ軸方向インキ転写幅よりも、拡大することになる。
【００５７】
そして、図５（ｄ）に示すように、振りローラ３４に転写されたインキＩｂは、着けローラ３５における凸部３５ａ，３５ｂの外周面に転写される。
【００５８】
次いで、図３に示すように、着けローラ３５の凸部３５ａ，３５ｂに転写されたインキＩｂは、番号胴４０の番号器４６ａ，４６ｂにそれぞれ転写される。詳細には、凸部３５ａに転写されたインキＩｂは、番号器４６ａにおける凸状彫刻数字の下４桁部分に転写される。また、凸部３５ｂに転写されたインキＩｂは、番号器４６ｂにおける凸状彫刻数字の下４桁部分に転写される。
【００５９】
そして、図５（ｅ）に示すように、番号器４６ａに転写されたインキＩｂは、番号胴４０と圧胴との対向位置に搬送されたシートＳに転写されることにより、縦番号Ｓａの下４桁を印字する。また、番号器４６ｂに転写されたインキＩｂは、番号胴４０と圧胴との対向位置に搬送されたシートＳに転写されることにより、横番号Ｓｂの下４桁を印字する。
【００６０】
以上より、番号胴４０の番号器４６ａに、インキＩａ，Ｉｂが色分けされて転写される一方、番号胴４０の番号器４６ｂに、インキＩａ，Ｉｂが色分けされて転写されることにより、図６に示すように、搬送されたシートＳに対して、２色で色分けされた縦番号Ｓａ及び横番号Ｓｂが、それぞれ印刷されることになる。
【００６１】
従って、本発明に係る番号印刷機のインキ装置１によれば、縦番号Ｓａ及び横番号Ｓｂを、その桁数の半分ずつ色分けして、シートＳに印刷することができる。これにより、印刷する番号を多色で表現することができるので、印刷物に対して、高度な偽造防止効果を与えることができる。
【００６２】
なお、上述した実施形態では、番号胴４０の番号器４６ａ，４６ｂによって印刷する一連の番号を、数字だけの番号としているが、数字と文字とを組み合わせた番号、または、数字と記号とを組み合わせた番号、あるいは、記号だけの番号であっても構わない。
【００６３】
例えば、図７に示すように、数字と文字とを組み合わせた７桁の横番号Ｓｂを、シートＳに印刷する場合には、着けローラ２３，３５において、凸部２３ｂ，３５ｂの着けローラ軸方向位置及び着けローラ周方向位置を調整することにより、横番号Ｓｂにおけるシート搬送方向上流側部分を、インキＩａによって印刷すると共に、横番号Ｓｂにおけるシート搬送方向下流側部分を、インキＩｂによって印刷することができる。
【００６４】
また、図８に示すように、数字と記号とを組み合わせた７桁の横番号Ｓｂを、シートＳに印刷する場合には、着けローラ２３，３５において、凸部２３ｂ，３５ｂの着けローラ軸方向位置及び着けローラ周方向位置を調整することにより、横番号Ｓｂにおける所定の桁のみ（選択した桁のみ）において、その桁の数字におけるシート搬送方向上流側部分を、インキＩａによって印刷すると共に、その桁の数字におけるシート搬送方向下流側部分を、インキＩｂによって印刷することができる。
【００６５】
従って、横番号Ｓｂを、そのシート搬送方向上流側部分とシート搬送方向下流側部分とで色分けして、シートＳに印刷することができる。これにより、数字と文字または記号とを組み合わせた番号であっても、その番号を多色で表現することができるので、印刷物に対して、高度な偽造防止効果を与えることができる。
【産業上の利用可能性】
【００６６】
本発明は、インキの濃淡を均一に保持することができる番号印刷機のインキ装置に適用可能である。
【符号の説明】
【００６７】
１      インキ装置
１１      インキつぼ
１１ｃ    仕切り部材
１２      インキつぼローラ
２１      選択ローラ
２１ａ    環状凸部
２２      振りローラ
２３      着けローラ
２３ａ，２３ｂ    凸部
３１      選択ローラ
３１ａ    環状凸部
３４      振りローラ
３５      着けローラ
３５ａ，３５ｂ    凸部
４０      番号胴
４６ａ，４６ｂ    番号器
Ｉａ，Ｉｂ    インキ
Ｓ      シート
Ｓａ    縦番号
Ｓｂ    横番号
【図１】
2015054476.tif 000003
【図２】
2015054476.tif 000004
【図３】
2015054476.tif 000005
【図４】
2015054476.tif 000006
【図５】
2015054476.tif 000007
【図６】
2015054476.tif 000008
【図７】
2015054476.tif 000009
【図８】
2015054476.tif 000010